(57)【要約】【課題】バッテリ集合体の冷却風導入側において，複数の相隣る両棒状バッテリモジュール間に，冷却風をほぼ均等に導入する。【解決手段】バッテリ式電源装置１はボックス２と，そのボックス２内に設置されたバッテリ集合体３とを備えている。第１バッテリモジュール群２２１　の複数の棒状バッテリモジュール２２外周面と対向してそれらの軸線方向に延びる複数の導風板３７が冷却風用導入路１５内にそれぞれ配置される。各導風板３７は，平板３７ａおよびその平板３７ａの冷却風用導入口１４側の縁部から棒状バッテリモジュール２２側に向かう折曲り板３７ｂを有する。各導風板３７の折曲り板３７ｂは，それよりも冷却風の流れの上流側に在る導風板３７の平板３７ａに添った冷却風の流れを相隣る両棒状バッテリモジュール２２間に向かうように変更する機能を有する。【選択図】　　　図３
2004071394.tif 000002
【特許請求の範囲】
【請求項１】
内部において，一端の冷却風導入側から他端の冷却風導出側に向って冷却風を流通させるようにしたボックス（２）と，そのボックス（２）内に設置されたバッテリ集合体（３）とを備え，そのバッテリ集合体（３）は，冷却風流通方向（Ａ）に沿って互に平行に，且つ間隔をとって並ぶ複数のバッテリモジュール群（２１１　〜２１３　）を有し，それらバッテリモジュール群（２１１　〜２１３　）は，軸線を冷却風流通方向（Ａ）と交差する仮想交差平面（Ｐ１　）内でその冷却風流通方向（Ａ）と交差させて等間隔で並ぶ複数の棒状バッテリモジュール（２２）より構成され，また冷却風流通方向（Ａ）にて相隣る一方の棒状バッテリモジュール（２２）と他方の棒状バッテリモジュール（２２）の両軸線が冷却風流通方向（Ａ）と平行な仮想平行平面（Ｐ２　）内に位置し，前記冷却風導入側に最も近い位置に在る最外側バッテリモジュール群（２１１　）の前記仮想交差平面（Ｐ１　）およびその仮想交差平面（Ｐ１　）と対向し，且つ前記ボックス（２）の一部を構成する第１構成板（１２）内面は非平行であって，その第１構成板（１２）内面および前記最外側バッテリモジュール群（２１１　）間の空間は楔形をなす冷却風導入路（１５）であり，その楔形をなす冷却風用導入路（１５）の最も広い部位に，前記ボックス（２）に設けられた冷却風用導入口（１４）が連通し，前記最外側バッテリモジュール群（２２１　）の複数の棒状バッテリモジュール（２２）外周面と対向してそれらの軸線方向に延びる複数の導風板（３７）が前記冷却風用導入路（１５）内にそれぞれ配置され，各導風板（３７）は，前記第１構成板（１２）内面と平行な平板（３７ａ）およびその平板（３７ａ）の冷却風用導入口（１４）側の縁部から前記棒状バッテリモジュール（２２）側に向かう折曲り板（３７ｂ）を有すると共に前記冷却風用導入口（１４）から最も遠い位置に在る前記導風板（３７）の平板（３７ａ）および前記第１構成板（１２）内面間の間隔ｄ２　が，相隣る両導風板（３７）の各平板（３７ａ）平面を含む両仮想平面（Ｐ３　）間の間隔ｄ２　に等しくなるように位置決めされ，前記冷却風用導入口（１４）に最も近い前記導風板（３７）の前記折曲り板（３７ｂ）は，その導入口（１４）からの冷却風の流れを前記ボックス（２）の一部を構成する第２構成板（７）内面および前記棒状バッテリモジュール（２２）間に向かうように変更する機能を有し，前記冷却風用導入口（１４）から２番目以後の前記導風板（３７）の前記折曲り板（３７ｂ）は，それよりも冷却風の流れの上流側に在る前記導風板（３７）の前記平板（３７ａ）に添った冷却風の流れを相隣る両棒状バッテリモジュール（２２）間に向かうように変更する機能を有し，前記冷却風用導入口（１４）から最も遠い前記導風板（３７）の平板（３７ａ）は，それに添う冷却風の流れを前記ボックス（２）の一部を構成する第３構成板（１０）内面に衝突させて，その第３構成体（１０）内面および前記棒状バッテリモジュール（２２）間に向かうように変更する機能を有することを特徴とするバッテリ式電源装置。
【発明の詳細な説明】
【０００１】
【発明の属する技術分野】
本発明はバッテリ式電源装置，特に，バッテリ集合体を備え，バッテリカー，ハイブリッドカー，燃料電池車等に搭載されて動力源として用いられるものに関する。ここで，バッテリという概念には，プライマリ・バッテリ，セコンダリ・バッテリの外に大容量の電気二重層キャパシタといったように各種蓄電機能を持つものが含まれる。
【０００２】
【従来の技術】
従来，この種のバッテリ式電源装置としては，例えば，特開平１０−２５５８５９号公報に開示されたものが知られている。
【０００３】
【発明が解決しようとする課題】
しかしながら従来装置の場合，バッテリ集合体の冷却風導入側において，複数の棒状バッテリモジュールについて冷却風を均等に導入するための工夫が十分になされていないことからバッテリ集合体をその全体に亘って均一に冷却することが難しい，という問題があった。
【０００４】
【課題を解決するための手段】
本発明は，バッテリ集合体の冷却風導入側において，複数の棒状バッテリモジュールについて冷却風をほぼ均等に導入してバッテリ集合体をその全体に亘ってほぼ均一に冷却することができるようにした前記バッテリ式電源装置を提供することを目的とする。
【０００５】
前記目的を達成するため本発明によれば，内部において，一端の冷却風導入側から他端の冷却風導出側に向って冷却風を流通させるようにしたボックスと，そのボックス内に設置されたバッテリ集合体とを備え，そのバッテリ集合体は，冷却風流通方向に沿って互に平行に，且つ間隔をとって並ぶ複数のバッテリモジュール群を有し，それらバッテリモジュール群は，軸線を冷却風流通方向と交差する仮想交差平面内でその冷却風流通方向と交差させて等間隔で並ぶ複数の棒状バッテリモジュールより構成され，また冷却風流通方向にて相隣る一方の棒状バッテリモジュールと他方の棒状バッテリモジュールの両軸線が冷却風流通方向と平行な仮想平行平面内に位置し，前記冷却風導入側に最も近い位置に在る最外側バッテリモジュール群の前記仮想交差平面およびその仮想交差平面と対向し，且つ前記ボックスの一部を構成する第１構成板内面は非平行であって，その第１構成板内面および前記最外側バッテリモジュール群間の空間は楔形をなす冷却風導入路であり，その楔形をなす冷却風用導入路の最も広い部位に，前記ボックスに設けられた冷却風用導入口が連通し，前記最外側バッテリモジュール群の複数の棒状バッテリモジュール外周面と対向してそれらの軸線方向に延びる複数の導風板が前記冷却風用導入路内にそれぞれ配置され，各導風板は，前記第１構成板内面と平行な平板およびその平板の冷却風用導入口側の縁部から前記棒状バッテリモジュール側に向かう折曲り板を有すると共に前記冷却風用導入口から最も遠い位置に在る前記導風板の平板および前記第１構成板内面間の間隔ｄ２　が，相隣る両導風板の各平板平面を含む両仮想平面間の間隔ｄ２　に等しくなるように位置決めされ，前記冷却風用導入口に最も近い前記導風板の前記折曲り板は，その導入口からの冷却風の流れを前記ボックスの一部を構成する第２構成板内面および前記棒状バッテリモジュール間に向かうように変更する機能を有し，前記冷却風用導入口から２番目以後の前記導風板の前記折曲り板は，それよりも冷却風の流れの上流側に在る前記導風板の前記平板に添った冷却風の流れを相隣る両棒状バッテリモジュール間に向かうように変更する機能を有し，前記冷却風用導入口から最も遠い前記導風板の平板は，それに添う冷却風の流れを前記ボックスの一部を構成する第３構成板内面に衝突させて，その第３構成体内面および前記棒状バッテリモジュール間に向かうように変更する機能を有する，バッテリ式電源装置が提供される。
【０００６】
前記のように構成すると，ボックスおよび複数の導風板の協働により複数の棒状バッテリモジュールについて冷却風をほぼ均等に導入することができ，これによりバッテリ集合体をその全体に亘ってほぼ均一に冷却することが可能となる。この冷却風均等導入機能は，冷却能の調整のために導入路内の冷却風の流量や流速が変動した場合にも当然に維持される。
【０００７】
【発明の実施の形態】
図１，２において，バッテリ式電源装置１は，ほぼ直方体状をなすボックス２と，そのボックス２内に設置されたバッテリ集合体３とを備えている。ボックス２は鋼板製基台４と金属製（または合成樹脂製）カバー５とよりなる。基台４は，ほぼ直方体形ブロック状にまとめられたバッテリ集合体３を載せる支持板６と，その支持板６の一側縁から立上がると共にバッテリ集合体３の一側面側と対向する遮蔽板７とよりなる。支持板６は，間隔をとって配置された２つの凸条８を有し，各凸条８は遮蔽板７に対して直角をなすと共にその頂面９を平坦に形成されている。各凸条８の高さは，遮蔽板７側が最も低く，その遮蔽板７から離れるに従って漸増するようになっている。
【０００８】
図３に示すように，基台４は各凸条８の頂面９が水平になるように設置される。またバッテリ集合体３の，遮蔽板７との対向側面側を除く，残りの三側面側は，カバー５の，遮蔽板７と対向する側板１０および相対向する両側板１１により覆われ，また上面側はカバー５の天井板１２によって覆われている。カバー５の一側面側は開放されているが，その開口は上部を除いて遮蔽板７により閉鎖される。
【０００９】
後述するように，ボックス２内においては，その一端側，つまり上部の冷却風導入側からその他端側，つまり下部の冷却風導出側に向って冷却風を流通させるようになっており，したがってバッテリ集合体３内における冷却風流通方向Ａは上から下となる。
【００１０】
図４にも示すように，バッテリ集合体３は，冷却風流通方向Ａに沿って互に平行に，且つ間隔をとって並ぶ複数，実施例では第１〜第３バッテリモジュール群２１１　〜２１３　を有する。各バッテリモジュール群２１１　〜２１３　は，軸線を，冷却風流通方向Ａと交差する仮想交差平面Ｐ１　内でその冷却風流通方向Ａと交差させて等間隔で並ぶ複数の棒状バッテリモジュール２２より構成される。棒状バッテリモジュール２２の数は，実施例では第１，第２バッテリモジュール群２１１　，２１２　が７つ，第３バッテリモジュール群２１３　が６つである。また冷却風流通方向Ａにて相隣る一方の棒状バッテリモジュール２２と他方の棒状バッテリ２２の両軸線は冷却風流通方向Ａと平行な仮想平行平面Ｐ２　内に位置する。第３バッテリモジュール群２１３　の棒状バッテリモジュール２２の数を他のものよりも１つ減らした理由は，棒状バッテリモジュール２２は接続上２つ１組となるので，その棒状バッテリモジュール２２の数を偶数にするためである。
【００１１】
図５に明示するように，各棒状バッテリモジュール２２は，複数，実施例では６つのバッテリ（セコンダリ・バッテリ）２３を，相隣る両バッテリ２３が接続リング２４を介して直列接続されるように連結したものである。各棒状バッテリモジュール２２において，その一端面には六角形をなす正極２５が突設され，また他端面には四角形をなす負極２６が突設される。
【００１２】
図３，６に示すように，第１バッテリモジュール群２１１　の７つの棒状バッテリモジュール２２は，その軸線方向２箇所において所定の間隔で配置された２つの合成樹脂製角棒状グロメット２７に支持されている。各グロメット２７は上側の第１半体２８と下側の第２半体２９とよりなる。両半体２８，２９の合せ面３０，３１には各棒状バッテリモジュール２２の接続リング２４外周面に嵌まる７つの半円弧状凹部３２，３３が形成されている。第２バッテリモジュール群２１２　と両グロメット２７との関係は第１バッテリモジュール群２１１　の場合と同じである。第３バッテリモジュール群２１３　の６つの棒状バッテリモジュール２２は両グロメット２７に前記同様に保持されており，遮蔽板７に隣接した両凹部３２，３３による円形保持孔には棒状バッテリモジュール２２は存在しない。
【００１３】
図３，７に明示するように冷却風導入側に最も近い位置に在る最外側バッテリモジュール群，つまり，第１バッテリモジュール群２１１　の仮想交差平面Ｐ１　と，その仮想交差平面Ｐ１　と対向し，且つボックス２の一部を構成する第１構成板，つまりカバー５の天井板１２内面とは非平行，実施例では仮想交差平面Ｐ１　が水平であるのに対し，天井板１２は傾斜していて，その天井板１２内面および第１バッテリモジュール群２１１　間の空間は楔形をなす冷却風導入路１５である。その楔形をなす冷却風用導入路１５の最も広い部位に，ボックス２に設けられた冷却風用導入口１４が連通する。実施例では，導入口１４は，天井板１２の延長部分１２ａ，遮閉板７の上縁から外方へ折曲がる上縁板１３および延長部分１２ａから垂下する両側板１１の突出部分１１ａにより角筒形に形成されている。
【００１４】
支持板６，遮蔽板７および上縁板１３の両側縁に，それぞれ支持板６において上方へ折曲がるように一連の折曲げ縁部１７が形成されており，両折曲げ縁部１７の外面にはカバー５の相対向する両側板１１の内面がそれぞれ密着し，また遮蔽板７と対向する側板１０の下縁が両凸条８の頂面９にそれぞれ当接する。これにより，支持板６の両凸条８間および各凸条８の外側に存する３つの開口は冷却風用導出口１８として機能し，これらの導出口１８に連なるカバー５内の３つの楔形空間は冷却風用導出路１９として機能する。各導出口１８は共通のダクト１６を介して吸引ファン２０に接続される。
【００１５】
図８にも示すように，基台４における両凸条８の頂面９間に，平面形状が支持板６よりも小さな合成樹脂製第３導風部材３４の簀の子状本体３４ａが，その一側を遮蔽板７に当接させて渡されており，その簀の子状本体３４ａの上に，第３バッテリモジュール群２１３　を保持する両グロメット２７が，それらの一側面を遮蔽板７に当接させて両凸条８の直上に位置するようにそれぞれ載置される。両グロメット２７間には，第３導風部材３４を裏返した形態を有する合成樹脂製第２導風部材３５の簀の子状本体３５ａが，その一側縁を遮蔽板７に当接させて渡されると共に両簀の子状本体３４ａ，３５ａに突設された複数のスペーサ３４ｂ，３５ｂが相互に衝合されている。第２導風部材３５の簀の子状本体３５ａの上に，第２バッテリモジュール群２１２　を保持する両グロメット２７が，それらの一側面を遮蔽板７に当接させて第３バッテリモジュール群２１３　の両グロメット２７の直上に位置するようにそれぞれ載置される。両グロメット２７上には，第１バッテリモジュール群２１１　を保持する両グロメット２７が，その一側面を遮蔽板７に当接させてそれぞれ載置される。両グロメット２７間には第２，第３導風部材３５，３４とは形態を異にする合成樹脂製簀の子状第１導風部材３６が，その一側縁を遮蔽板７に当接させて渡されている。各グロメット２７と第１〜第３導風部材３６〜３４の冷却風流通方向Ａと交差する方向の長さは等しい。
【００１６】
このように，第１導風部材３６は，冷却風用導入路１５に最も近い第１バッテリモジュール群２１１　のその冷却風用導入路１５側に配置され，また第２導風部材３５は，第２および第３バッテリモジュール群２１２　，２１３　間に配置され，さらに第３導風部材３４は，第３バッテリモジュール群２１３　の冷却風用導出路１９側に配置される。
【００１７】
第１導風部材３６は，第１バッテリモジュール群２１１　の複数，実施例では７つの棒状バッテリモジュール２２の軸線方向に延びてそれら棒状バッテリモジュール２２外周面と間隔をとって対向すると共に冷却風用導入路１５内に配置された複数，実施例では７つの短冊状導風板３７と，相隣る両導風板３７間に在って相隣る両棒状バッテリモジュール２２間の空間に臨む複数，実施例では６つの第１スリット３８１　とを有する。導入口１４に最も近い位置に在る導風板３７およびボックス２の一部を構成する第２構成板としての遮蔽板７間ならびに導入口１４より最も遠い位置に在る導風板３７およびボックス２の一部を構成する第３構成板としての側板１０間にもそれぞれ第２スリット３８２　が形成されている。これら第２スリット３８２　の導風板３７および遮蔽板７間ならびに導風板３７および側板１０間の間隔ｄ１　に対し，各第１スリット３８１　の相隣る両導風板３７間の間隔はｄ１　×２＝２ｄ１　である。これは，第１スリット３８１　からバッテリ集合体３内に導入された冷却風は冷却風流通方向Ａに沿って並ぶ２列の棒状バッテリモジュール２２の冷却に用いられ，一方，第２スリット３８２　からバッテリ集合体３内に導入された冷却風は冷却風流通方向Ａに沿って並ぶ一列の棒状バッテリモジュール２２の冷却に用いられることに因る。
【００１８】
各導風板３７は，天井板１２内面と平行な平板３７ａおよびその平板３７ａの冷却風用導入口１４側の縁部から棒状バッテリモジュール２２側に向かう折曲り板３７ｂを有する。また各導風板３７は，冷却風用導入口１４から最も遠い位置に在る導風板３７の平板３７ａおよび天井板１２内面間の間隔ｄ２　が相隣る両導風板３７の各平板３７ａ平面を含む両仮想平面Ｐ３　間の間隔ｄ２　に等しくなるように位置決めされている。また導入口１４に最も近い導風板３７の前記平板３７ａ平面を含む仮想平面Ｐ３　および遮蔽板７の上縁板１３平面間の間隔ｄ２　は前記間隔ｄ２　と等しい。
【００１９】
冷却風用導入口１４に最も近い導風板３７の折曲り板３７ｂは，その導入口１４からの，上縁板１３に沿った冷却風の流れを遮蔽板７内面および棒状バッテリモジュール２２間に向かうように変更する機能を有する。また冷却風用導入口１４から２番目以後の各導風板３７の折曲り板３７ｂは，それよりも冷却風流れ上流側に在る導風板３７の平板３７ａに添った冷却風の流れを相隣る両棒状バッテリモジュール２２間に向かうように変更する機能を有する。さらに冷却風導入口１４から最も遠い導風板３７の平板３７ａは，それに添う冷却風の流れを，ボックス２の一部を構成する第３構成板としての側板１０内面に衝突させて，その側板１０内面および棒状バッテリモジュール２２間に向かうように変更する機能を有する。
【００２０】
第１バッテリモジュール群２１１　において，棒状バッテリモジュール２２の外径をＤとし，その外径Ｄに対応する導風板３７の幅をＷ１　としたときＷ１　≧Ｄに設定される。ここで，棒状バッテリモジュール２２の外径Ｄとは，図５，９にも示すように，バッテリ２３における負極側の有底筒体３９の外径とする。これは以後同じである。
【００２１】
第１導風部材３６において，両グロメット２７に対向する部分は，下向きに開口する浅いチャンネル材４０よりなり，各チャンネル材４０は各グロメット２７に嵌まっている。導風板３７は棒状バッテリモジュール２２の軸線方向に４分割されていて，１番目の分割片は，その一端部を一方のチャンネル材４０の一側面側に接合され，２番目の分割片は，その両端部を一方のチャンネル材４０の他側面側およびそれに隣接するチャンネル材４１の一側面側にそれぞれ接合され，３番目の分割片は短いチャンネル材４１の他側面側および他方のチャンネル材４０の一側面側にそれぞれ接合され，４番目の分割片は，その一端部を他方のチャンネル材４０の他側面側に接合されている。
【００２２】
第２導風部材３５の簀の子状本体３５ａは，相隣る両短冊状平板３５ｃ間に在って，第２，第３バッテリモジュール群２１２　，２１３　の各棒状バッテリモジュール２２の外周面に対向する複数，実施例では各棒状バッテリモジュール２２の軸線方向に延び，且つ途中で分断された７つのスリット４２を有し，また棒状バッテリモジュール２２の外径Ｄとその外径Ｄに対応するスリット４２の幅Ｗ２　とがＤ＞Ｗ２　の関係にある。
【００２３】
第３導風部材３４の簀の子状本体３４ａは，相隣る両短冊状平板３４ｃ間に在って，第３バッテリモジュール群２１３　の各棒状バッテリモジュール２２外周面に対向する複数，実施例では各棒状バッテリモジュール２２の軸線方向に延び，且つ途中で分断された７つのスリット４３を有する。ただし，入口１４に最も近い１つのスリット４３は使用されない。また棒状バッテリモジュール２２の外径Ｄとその外径Ｄに対応するスリット４３の幅Ｗ３　とはＤ＞Ｗ３　の関係にある。
【００２４】
図２，３に示すように，２つの鋼製フレーム部材４４の一端に存する取付部４５が，２つの凸条８の，遮蔽板７と反対側の端部頂面９において，それら凸条８にボルト４６ａおよびナット４６ｂによりそれぞれ固着される。図９にも示すように，各取付部４５から立上がる鉛直部４７はチャンネル形をなし，そのチャンネル４８に各グロメット２７の側部が嵌められている。図１０にも示すように，各鉛直部４７から折曲がる水平部４９もチャンネル形をなし，そのチャンネル５０は第１導風部材３６のチャンネル材４０に被せられており，水平部４９とチャンネル材４０との間には複数の板ばね５１が配置される。それら板ばね５１の弾発力で，第１〜第３導風部材３６〜３４および３つのグロメット２７が支持板６に押圧される。各水平部４９の端部に連設された取付部５２は遮蔽板７に連なる上縁板１３上に載置されて，それにボルト５４およびナット５５によって固着される。
【００２５】
各フレーム部材４４の水平部４９において，その導入口１４側の端部上面に，上面にナット５６を有する支持部材５７が設けられており，それらナット５６上にカバー５の天井板１２が載せられ，その天井板１２を貫通するボルト５８がナット５６にねじ込まれている。これによりカバー５が各フレーム部材４４に取付けられる。また図には省略したがカバー５の取付手段は外にも設けられている。
【００２６】
図２，５，６に示すように，第１バッテリモジュール群２１１　の各棒状バッテリモジュール２２と，それに隣接する第２バッテリモジュール群２１２　の各棒状バッテリモジュール２２とは，それらの軸線方向中央部に存する接続リング２４の位置で合成樹脂製クリップ５９により接続されている。また図２，８に示すように第３バッテリモジュール群２１３　の各棒状バッテリモジュール２２は，その軸線方向中央部に存する接続リング２４の位置で，第２，第３導風部材３５，３４のスペーサ３５ｂ，３４ｂに設けられた相対向する半円弧状凹部６０，６１間に挟持される。これにより，第１〜第３バッテリモジュール群２１１　〜２１３　における各棒状バッテリモジュール２２の振動が抑制される。
【００２７】
図７において，バッテリ集合体３の冷却に当り，吸引ファン２０を作動させると，冷却風ａが導入口１４，導入路１５，バッテリ集合体３内，導出路１９，導出口１８の順に流通する。この場合，各第１スリット３８１　からバッテリ集合体３内にほぼ等量の冷却風が導入され，一方，各第２スリット３８２　からバッテリ集合体３内にはほぼ等量であるが，第１スリット３８１　の冷却風量のほぼ２分の１量が導入される。そして冷却風ａが第１導風部材３６の各第１，第２スリット３８１　，３８２　から，第１，第２バッテリモジュール群２１１　，２１２　の各棒状バッテリモジュール２２の両側を流通すると，導風板３７およびそれと対向する棒状バッテリモジュール２２外周面のほぼ４分の１の部分間に冷却能の低い冷却風の淀みｓが形成され，また第１バッテリモジュール群２１の棒状バッテリモジュール２２外周面下側のほぼ４分の１の部分およびその下方においてそれと隣接する棒状バッテリモジュール２２外周面上側のほぼ４分の１の部分間に冷却能の低い冷却風の淀みｓが形成される。これにより，第１バッテリモジュール群２１においては，各棒状バッテリモジュール２２が，その両側を流れる冷却風ａに，その外周面のぼぼ４分の２を曝すことによって冷却される。
【００２８】
第２バッテリモジュール２１２　においては，各棒状バッテリモジュール２２が，その両側を流れて第２導風部材３５のスリット４２に流込む冷却風ａに，その外周面のほぼ４分の３を曝すことによって冷却される。
【００２９】
第３バッテリモジュール群２１３　においては，各棒状バッテリモジュール２２が，第２導風部材３５のスリット４２を通過してその棒状バッテリモジュール２２外周面に沿って流れ，最終的に第３導風部材３４のスリット４３に流込む冷却風ａに，その外周面全体を曝すことによって冷却される。
【００３０】
冷却風ａの冷却能は第１バッテリモジュール群２１１　から第２バッテリモジュール群２１２　を経て第３バッテリモジュール群２１３　に至る間に低下するが，それに応じて棒状バッテリモジュール２２の冷却風ａに曝される面積が増加するので，全部の棒状バッテリモジュール２２をほぼ均一に冷却することができる。
【００３１】
図１１は導風板３７の変形例を示す。この導風板３７は，平板３７ａの，折曲り板３７ｂが存する縁部とは反対側の縁部に第２の折曲り板３７ｃを設けて，その第２の折曲り板３７ｃと，それよりも冷却風流れ下流側にある導風板３７の折曲り板３７ｂとの協働で冷却風を相隣る両棒状バッテリモジュール２２間に導入し易くしたものである。
【００３２】
なお，天井板１２を水平にする一方，バッテリ集合体３の各仮想交差平面Ｐ１　を天井板１２に対して傾斜させることも可能である。
【００３３】
【発明の効果】
本発明によれば，前記のように構成することによって複数の棒状バッテリモジュールについて冷却風をほぼ均等に導入することができ，これによりバッテリ集合体をその全体に亘ってほぼ均一に冷却することが可能なバッテリ式電源装置を提供することができる。
【図面の簡単な説明】
【図１】バッテリ式電源装置の斜視図である。
【図２】バッテリ集合体と基台等との関係を示す斜視図である。
【図３】図１，２の３−３線断面図である。
【図４】棒状バッテリモジュールの配列を説明する斜視図である。
【図５】棒状バッテリモジュールの斜視図である。
【図６】棒状バッテリモジュールとグロメットとの関係を示す要部斜視図である。
【図７】バッテリ式電源装置における冷却風の流れを示す説明図である。
【図８】第１〜第３導風部材とグロメットとの関係を示す斜視図である。
【図９】図３の要部拡大図である。
【図１０】図９の１０−１０線断面図である。
【図１１】導風板の変形例を示す断面図である。
【符号の説明】
１………………バッテリ式電源装置
２………………ボックス
３………………バッテリ集合体
７………………遮蔽板（第２構成板）
１０……………側板（第３構成板）
１２……………天井板（第１構成板）
１４……………冷却風用導入口
１５……………冷却風用導入路
２１１　〜２１３　……第１〜第３バッテリモジュール群
２２……………棒状バッテリモジュール
３７……………導風板
３７ａ…………平板
３７ｂ…………折曲り板
Ａ………………冷却風流通方向
Ｐ１　……………仮想交差平面
Ｐ２　……………仮想平行平面
Ｐ３　……………仮想平面
ｄ２　……………間隔
【図１】
2004071394.tif 000003
【図２】
2004071394.tif 000004
【図３】
2004071394.tif 000005
【図４】
2004071394.tif 000006
【図５】
2004071394.tif 000007
【図６】
2004071394.tif 000008
【図７】
2004071394.tif 000009
【図８】
2004071394.tif 000010
【図９】
2004071394.tif 000011
【図１０】
2004071394.tif 000012
【図１１】
2004071394.tif 000013